(57)【要約】      （修正有）【課題】ブロック状の補填材を簡易に所望の数だけ充填する補填材充填装置を提供する。【解決手段】ブロック状の骨補填材２を整列状態に収容し、先端に開口部３ｂを有する筒状部３と、筒状部３に収容された骨補填材２を整列方向に押して開口部３ｂから押し出す押圧部材４と、押圧部材４を所定距離だけ移動させる送り機構５とを備え、筒状部３内のすべての骨補填材２を押し出した後には、筒上部３を取り外して骨補填材２の充填された新たな筒上部３に交換し、充填作業を継続することができる補填材充填装置１。【選択図】図１
2007282703.tif 000002
【特許請求の範囲】
【請求項１】
ブロック状の補填材を整列状態に収容し、先端に開口部を有する筒状部と、
該筒状部に収容された補填材を整列方向に押して前記開口部から押し出す押圧部材と、
該押圧部材を所定距離だけ移動させる送り機構とを備える補填材充填装置。
【請求項２】
前記送り機構が、第１の位置において前記押圧部材を把持する把持部と、押圧部材を把持した状態の把持部を移動させる移動機構と、該移動機構により所定距離だけ移動された第２の位置において前記把持部による把持状態を解除する解除機構と、把持状態が解除された把持部を第１の位置まで戻す戻し機構とを備える請求項１に記載の補填材充填装置。
【請求項３】
前記第１の位置と第２の位置との距離が、前記各補填材の整列方向の厚さ寸法にほぼ等しい請求項２に記載の補填材充填装置。
【請求項４】
前記筒状部が着脱可能に設けられている請求項１から請求項３のいずれかに記載の補填材充填装置。
【発明の詳細な説明】
【技術分野】
【０００１】
この発明は、補填材充填装置に関するものである。
【背景技術】
【０００２】
従来、骨欠損部への骨補填材の補填を行う骨補填材注入具が知られている（例えば、特許文献１参照。）。
この骨補填材注入具は、顆粒状の骨補填材を充填しておくシリンジと、該シリンジの挿入口を介して進退自在な軟性のシャフトとを備え、シリンジ内からシャフトを挿入口を通して曲げながら骨幹部の内部に入れて回転駆動させることで、シリンジ内の骨補填材を骨欠損部内に効率的に導入することができる。
【特許文献１】特開２００１−１２９０７３号公報
【発明の開示】
【発明が解決しようとする課題】
【０００３】
しかしながら、顆粒状の骨補填材はその充填量を制御することが困難であり、また、切開された骨欠損部周囲の筋肉組織や表皮組織に付着し易いので取り扱いが困難である。
この点、ブロック状の補填材は、個数により充填量を制御でき、また、固体として取り扱うことができるので、周囲組織への付着も少なく取り扱いが容易である。しかし、ブロック状の補填材を骨欠損部等に充填する際に、数を数えながら１個ずつ投入していくことは煩わしいという問題がある。
【０００４】
本発明は上述した事情に鑑みてなされたものであって、ブロック状の補填材を簡易に所望の数だけ充填することを可能とする補填材充填装置を提供することを目的としている。
【課題を解決するための手段】
【０００５】
上記目的を達成するために、本発明は以下の手段を提供する。
本発明は、ブロック状の補填材を整列状態に収容し、先端に開口部を有する筒状部と、該筒状部に収容された補填材を整列方向に押して前記開口部から押し出す押圧部材と、該押圧部材を所定距離だけ移動させる送り機構とを備える補填材充填装置を提供する。
【０００６】
本発明によれば、筒状部の先端の開口部を骨欠損部等の患部に近接させ、送り機構を作動させることにより、押圧部材によって筒状部内の補填材を整列方向に押圧させ、押圧部材を移動させる。そして、押圧部材が所定距離だけ移動すると、その移動量によって定められた量のブロック状の補填材が筒状部の開口部から押し出され、患部に充填される。したがって、送り機構の作動を制御することにより、簡易に所望の数の補填材を患部に充填することができる。
【０００７】
上記発明においては、前記送り機構が、第１の位置において前記押圧部材を把持する把持部と、押圧部材を把持した状態の把持部を移動させる移動機構と、該移動機構により所定距離だけ移動された第２の位置において前記把持部による把持状態を解除する解除機構と、把持状態が解除された把持部を第１の位置まで戻す戻し機構とを備えることとしてもよい。
【０００８】
このようにすることで、把持部の作動により第１の位置において押圧部材を把持させ、移動機構の作動により把持部を移動させ、解除機構の作動により第２の位置において把持部による把持状態を解除することにより、押圧部材が第１の位置から第２の位置まで搬送される。したがって、押圧部材におり押圧される補填材も第１の位置から第２の位置までの距離に応じた距離だけ搬送される。そして、戻し機構の作動により把持状態が解除された把持部を第１の位置まで戻し、その後上記工程を繰り返すことにより、第１の位置と第２の位置との距離を１ステップとして補填材を移動させ、所望の数の補填材を患部に簡易に充填することができる。
【０００９】
また、上記発明においては、前記第１の位置と第２の位置との距離が、前記各補填材の整列方向の厚さ寸法にほぼ等しいことが好ましい。
このようにすることで、前記送り機構を１回作動させることにより、補填材１個分だけ押圧部材を移動させることができ、１回の操作で１個の補填材を筒状部先端の開口部から押し出すことができる。
【００１０】
また、上記発明においては、前記筒状部が着脱可能に設けられていることとしてもよい。
このようにすることで、筒状部内の全ての補填材を押し出した後には、筒状部を取り外して、補填材の充填された新たな筒状部に交換し、充填作業を継続することができる。この場合に、異なる大きさの補填材を収容した筒状部を用意しておくことで、患部の大きさに合わせて適正な補填材を充填することが可能となる。
【発明の効果】
【００１１】
本発明によれば、ブロック状の補填材を簡易に所望の数だけ充填することができるという効果を奏する。
【発明を実施するための最良の形態】
【００１２】
以下、本発明の一実施形態に係る補填材充填装置１について、図１〜図５を参照して説明する。
本実施形態に係る補填材充填装置１は、図１に示されるように、例えば、骨欠損部内にブロック状の骨補填材２を充填するものであって、複数のブロック状の骨補填材２を整列状態に収容する筒状部３と、該筒状部３に、長手方向に移動可能に配置されたピストン（押圧部材）４と、該ピストン４を移動させる送り機構５とを備えている。
【００１３】
前記筒状部３は、ブロック状の骨補填材２を移動可能に収容する収容部３ａを有している。収容部３ａの先端には、骨補填材２の外面との間の摩擦により、骨補填材２が先端の開口部３ｂから自然に飛び出さないように保持する摩擦部材６が配置されている。
ピストン４は、筒状部３の収容部３ａに収容されている骨補填材２を押圧するピストンヘッド４ａと、該ピストンヘッド４ａに一体的に固定されたロッド４ｂとを備えている。
【００１４】
送り機構５は、前記筒状部３内に長手方向に移動可能に配置された可動体７と、筒状部３と可動体７との間に配置され該可動体７を筒状部３の後端側に向けて付勢する第１のコイルスプリング８と、可動体７の先端に設けられ、前記ピストン４のロッド４ｂを把持する把持部９と、該把持部９に係合し、該把持部９をロッド４ｂの把持状態にロックするためのロック部材１０と、把持部９によるロッド４ｂの把持状態を維持する方向にロック部材１０を付勢する第２のコイルスプリング１１と、前記筒状部３に設けられ、可動体７が前進した位置に配置されたときにロック部材１０によるロックを解除し、把持部９によって把持されていたロッド４ｂを解放させる解除機構１２とを備えている。
【００１５】
可動体７は、筒状部３の後端開口３ｃからその先端を突出させており、例えば、オペレータの親指で押圧することができるようになっている。
把持部９は、図２に示されるように、内部にロッド４ｂを挿入する中央孔９ａを有するとともに、外部に、後端側に向かって先細になるテーパ部９ｂを備えている。テーパ部９ｂは、半径方向に中央孔まで達するスリット９ｃが、周方向に間隔を開けて複数、例えば、３カ所に設けられている。把持部９は、外力の加わらない自由状態において、スリット９ｃを広げる方向に広げられており、中央孔９ａの内径寸法はロッド４ｂの外径寸法よりも大きく構成されている。
【００１６】
前記ロック部材１０は、前記把持部９のテーパ部９ｂに後端側から嵌合する筒状に形成されている。ロック部材１０が把持部９のテーパ部９ｂに嵌合すると、把持部９が外周側から半径方向内方に締め付けられ、中央孔９ａを収縮させる方向に弾性変形させられるようになっている。これにより、把持部９がロッド４ｂの外面を把持した状態に維持されるようになっている。
【００１７】
前記第２のコイルスプリング１１は、ロック部材１０を把持部９のテーパ部９ｂに向けて付勢している。
前記解除機構１２は、筒状部３の内面に形成された段部（以下、段部１２という。）により構成されている。段部１２は、可動体７の移動方向の途中位置に設けられ、前記把持部９のテーパ部９ｂに嵌合した状態のロック部材１０の前端面を突き当てる寸法を備えている。
【００１８】
また、筒状部３の中央位置近傍には、前記ピストン４のロッド４ｂを嵌合させるスリーブ１３が配置されている。スリーブ１３は、ロッド４ｂの外面に密着する弾性部材により構成されている。これにより、スリーブ１３内面とロッド４ｂ外面との間に生ずる摩擦力によって、ロッド４ｂが筒状部３内で自由に移動することを防止するようになっている。
【００１９】
このように構成された本実施形態に係る補填材充填装置１の作用について以下に説明する。
本実施形態に係る補填材充填装置１を用いて、患部に骨補填材２を充填するには、図１に示されるように、筒状部３の収容部３ａに複数のブロック状の骨補填材２を整列状態に収容し、ピストン４を後端側に後退させておく。骨補填材２は摩擦部材６との摩擦により収容部３ａ内から飛び出さないように保持されている。
【００２０】
図１の状態では、可動体７が筒状部３の再最端に配置されている。この位置を第１の位置とする。第１の位置においては、第２のコイルスプリング１１によりロック部材１０が把持部９のテーパ部９ｂに嵌合し、ロック部材１０が把持部９の中央孔９ａを収縮させて内部のロッド４ｂが長手方向に移動しないように把持している。
【００２１】
この状態で、筒状部３の先端を患部に当てて、親指等で可動体７の後端を押圧する。可動体７は第１のコイルスプリング８により後端側に付勢されているので、この付勢力に抗して可動体７を押圧することにより、可動体７を先端側に向けて移動させる。このとき、可動体７の先端に設けられた把持部９のテーパ部９ｂに嵌合状態のロック部材１０も、嵌合状態に維持されたまま、可動体７とともに移動させられる。
【００２２】
ロック部材１０によって把持部９によるロッド４ｂの把持状態が維持されているので、可動体７が移動されるとロッド４ｂも同時に移動させられる。これにより、ロッド４ｂの先端に設けられているピストンヘッド４ａによって骨補填材２が整列方向に押圧される。
【００２３】
可動体７が筒状部３内を長手方向に移動していくと、図３に示されるように、その途中位置においてロック部材１０の先端面が筒状部３内の段部１２に突き当たる。この位置では、最先端の骨補填材２は、収容部３ａからほぼ押し出された状態で摩擦部材６によって離脱しないように維持されている。
【００２４】
この状態から、さらに可動体７を移動させると、ロック部材１０が段部１２によってそれ以上の移動を禁止され、可動体７のみが前進しようとする。その結果、ロック部材１０のテーパ部９ｂへの嵌合状態が解除され、把持部９は、半径方向外方への弾性変形を許容されて、図４に示されるように、中央孔９ａが拡大されて、ロッド４ｂとの間に隙間が形成される。
【００２５】
これにより、ロック部材１０によるロック状態が解除され、ロッド４ｂが把持部９から解放されるので、ロッド４ｂの移動が停止する。この位置を第２の位置とする。第２の位置においては、ロッド４ｂは、スリーブ１３内面との間の摩擦により、その場に停止状態に維持される。可動体７をそれ以上前進させても、把持部９はロッド４ｂを解放したままの状態であり、ロッド４ｂのそれ以上の前進は行われない。このとき、図４に示されるように、最先端の骨補填材２が、収容部３ａから完全に押し出され、患部に充填されることになる。
【００２６】
この状態から、可動体７の後端に加えていた押圧力を緩めると、第１のコイルスプリング８により可動体７が筒状部３の後端側に移動させられ、図１に示されるように、可動体７が第１の位置まで戻る。この過程において、ロック部材１０の前端と筒状部３内の段部１２との係合が外れ、第２のコイルスプリング１１の付勢力により、ロック部材１０が把持部９のテーパ部９ｂに嵌合されていく。その結果、第１の位置に戻るときには、把持部９が中央孔９ａを収縮させて、再度、ロッド４ｂを把持し、ロック部材１０によってロックされた状態となる。
【００２７】
この間、ロッド４ｂはスリーブ１３内面との間の摩擦によりその場に停止状態に維持されているので、ピストン４は後退することなくほぼその場に停止されている。従って、可動体７の後端に再度押圧力を加えて前進させることにより、前回の操作により前進した位置からピストン４がさらに前進させられるようになる。
【００２８】
本実施形態によれば、可動体７を１回押圧すると収容部３ａに収容されている骨補填材２が１個分移動させられて、最先端の骨補填材２を１個だけ押し出すことができる。したがって、可動体７を押した回数に応じた個数の骨補填材２を患部に補填することができる。
【００２９】
このように、本実施形態によれば、ノック式の筆記具のように可動体７を押すだけで、その回数に応じた個数の骨補填材２を患部に補填することができ、適正な個数の骨補填材２の補填作業を極めて簡易に行うことができる。
【００３０】
なお、本実施形態に係る補填材充填装置１においては、図５に示されるように、骨補填材２を収容する収容部３ａをネジ１４等により着脱可能に設けることとしてもよい。このようにすることで、収容部３ａに複数の骨補填材２を収容した状態で準備しておくことにより、収容部３ａを着脱して、装填作業を容易に行うことができ、補填作業をさらに簡易にすることができる。
また、このようにすることで、整列方向の幅寸法を共通化し、径寸法の異なる他種の骨補填材２を、同一の補填材充填装置１を用いて補填することもできる。
【図面の簡単な説明】
【００３１】
【図１】本発明の一実施形態に係る補填材充填装置を示す縦断面図である。
【図２】図１の補填材充填装置の把持部を説明する斜視図である。
【図３】図１の補填材充填装置の可動体の前進途中の状態を示す縦断面図である。
【図４】図１の補填材充填装置の可動体を再前位置まで移動させた状態を示す縦断面図である。
【図５】図１の補填材充填装置の変形例を示す縦断面図である。
【符号の説明】
【００３２】
１  補填材充填装置
２  補填材
３  筒状部
３ｂ  開口部
５  送り機構
７  可動体（押圧部材）
８  第２のコイルスプリング（戻し機構）
９  把持部
１２  段部（解除機構）
【図１】
2007282703.tif 000003
【図２】
2007282703.tif 000004
【図３】
2007282703.tif 000005
【図４】
2007282703.tif 000006
【図５】
2007282703.tif 000007